(57)【要約】【課題】洗浄性能、保存安定性、光安定性に優れる容器入り液体洗浄剤を提供する。【解決手段】（ａ）界面活性剤、（ｂ）分子内に少なくとも１個の窒素原子と２〜５個のＣＯＯＭ基（Ｍは水素原子、Ｎａ、Ｋ、ＮＨ４、アルカノールアミン）を有するカルシウム安定度定数が４〜１５である分子量１０００以下のキレート剤、（ｃ）還元剤、（ｄ）香料及び（ｅ）水を含有する液体洗浄剤組成物を、前記液体洗浄剤組成物と接触する部分の６０％（面積比）以上が、波長３００〜３５０ｎｍの光の平均透過率が５〜５０％且つ波長４００〜７００ｎｍの光の平均透過率が５０〜９５％である容器に充填した容器入り液体洗浄剤。【選択図】　なし【特許請求の範囲】
【請求項１】
（ａ）界面活性剤、（ｂ）分子内に少なくとも１個の窒素原子と２〜５個のＣＯＯＭ基（Ｍは水素原子、Ｎａ、Ｋ、ＮＨ４）を有するカルシウム安定度定数が４〜１５である分子量１０００以下のキレート剤、（ｃ）還元剤、（ｄ）香料及び（ｅ）水を含有する液体洗浄剤組成物を容器に充填した容器入り液体洗浄剤であって、前記液体洗浄剤組成物と接触する前記容器の部分の６０％（面積比）以上が、波長３００〜３５０ｎｍの光の平均透過率が５〜５０％且つ波長４００〜７００ｎｍの光の平均透過率が５０〜９５％である、容器入り液体洗浄剤。
【請求項２】
液体洗浄剤組成物の２０℃で測定するｐＨが７．５〜１２である請求項１記載の容器入り液体洗浄剤。
【請求項３】
（ｂ）が、下記一般式（Ｉ）で表される化合物である請求項１又は２何れか記載の容器入り液体洗浄剤。
【化１】
2004075797.tif 000009
〔式中、Ｒは−（ＣＨ２）ｎ−Ａであり、Ａは水素原子、ＯＨ、ＣＯＯＭであり、Ｍは水素原子、Ｎａ、Ｋ、ＮＨ４であり、ｎは０〜５の数を示す。〕
【請求項４】
（ｃ）が、亜硫酸、二亜硫酸、重亜硫酸、チオ硫酸、ホウ酸及びこれらの塩から選ばれる一種以上である請求項１〜３何れか記載の容器入り液体洗浄剤。
【請求項５】
（ａ）成分中の５０質量％以上が下記一般式（ＩＩ）で表される化合物である請求項１〜４何れか記載の容器入り液体洗浄剤。
【化２】
2004075797.tif 000010
〔式中、Ｒ１は炭素数７〜２０のアルキル基又はアルケニル基、Ｒ２、Ｒ３はそれぞれ炭素数１〜３のアルキル基、炭素数２〜３のアルケニル基又は水素原子である。Ｒ４は水素原子、炭素数１〜５のアルキル基又は炭素数２〜５のアルケニル基、ｍは１〜５の数を示す。〕
【請求項６】
容器が、ポリプロピレンを用いてなる請求項１〜５何れか記載の容器入り液体洗浄剤。
【発明の詳細な説明】
【０００１】
【発明の属する技術分野】
本発明は容器入り液体洗浄剤に関する。更に好適には、被洗浄物の汚れの集中した部分に塗布し、その後の洗濯における洗浄力を増強させる容器入り液体洗浄剤に関する。
【０００２】
【従来の技術】
液体洗浄剤組成物は、液体であることによる機能性の高さ、個装容器の自由度の高さ、使用方法の自由度の高さ、等の利点により様々な形で提供されている。液体洗浄剤組成物は、洗浄力という基本性能によってのみ商品力が決定されることはなく、組成物の外観（透明性、色）や匂いといった要素が商品力の決定に強く作用する。これはより身近に使用するほど影響力は強くなり、例えば洗濯機で使用するよりも手元で塗布する場面でより強く作用する。
【０００３】
このため、洗浄力のみならず、外観や匂いを魅力的にする検討がなされてきた。しかしながら、長時間の保存、熱、光等によって、変色や着色、匂いの劣化や異臭といった好ましくない変化がしばしば発生した。このような変化の原因については全てが明らかになっているわけではなく、特に、香料成分が複雑に組合せられた香料や、配合原料に微量キャリーオーバーされる物質等については、原因物質を配合系から除外することは困難である。
【０００４】
このような好ましくない変化を防止する方法の一つに、遮光性を有する容器や、特定の波長の光を吸収する容器を用いることが知られている（例えば、特許文献１、２、３、４参照。）。しかしこれらは、光による影響を緩和することができても、長時間の保存、熱といった光以外の影響からは逃れることができない。
【０００５】
一方、組成物としては、酸化防止剤、紫外線吸収剤、特定の含窒素化合物と亜硫酸塩又は石鹸の組合せ、特定のカルボン酸の配合による安定化が知られている（例えば、特許文献５、６、７、８、９、１０参照。）。しかしこれらの技術では十分とはいえなかった。また、特定の着色成分と考えられる成分を配合せずに代替成分を配合することが知られている（例えば、特許文献１１、１２参照。）。しかしこれらは特定の着色成分についての効果であって、香料やその他の着色物質等が光により変化することについて考慮されていない。
【０００６】
また、特定香料と酸化防止剤を特定の全光線透過率の袋に収納した液体洗浄剤物品が知られている（例えば、特許文献１３参照。）。しかし全光線透過率が低すぎて内容物をアピールすることはできず、商品力は向上しない。
【０００７】
界面活性剤を含有する液体組成物の好ましい形態として、洗濯前処理用の製品が挙げられる。これは、部分汚れに直接塗布し、その後普通に洗濯することを想定した商品である。部分洗いを行う頻度の高い襟・袖口や、泥・靴下汚れに対する洗浄力に優れ、塗布時の液量調整のし易さ、塗布のし易さ、等の、塗布使用時の使用感に優れる液体洗浄剤組成物の開発が望まれている。特に、塗布使用時には手にとって使用することから、洗濯水への使用時以上に、色、匂いに対する要求が高い。また、洗濯前処理用の製品は、その使用方法に由来して、コンパクトで、透明感や新鮮さを醸し出せることが望まれている。
【０００８】
従来、塗布用洗剤として、吐出口と塗り延ばし面を有する容器に充填された物品（例えば、特許文献１、４参照。）や、吐出口がブラシ状となっている物品（例えば、特許文献２、３、４参照。）が知られている。しかしこれらは、内容液の光による安定性、洗浄性能は十分とは言えない。
【０００９】
【特許文献１】
特開平８−５３１６５号公報
【００１０】
【特許文献２】
特開平７−４０９５４号公報
【００１１】
【特許文献３】
特開平８−３０１３６３号公報
【００１２】
【特許文献４】
特開平１１−１２３７１号公報
【００１３】
【特許文献５】
特表平７−５００８６２号公報
【００１４】
【特許文献６】
特開平７−１９７０７７号公報
【００１５】
【特許文献７】
特開平１０−２３７４９９号公報
【００１６】
【特許文献８】
特開平１１−１０６８００号公報
【００１７】
【特許文献９】
特開２０００−８０９９号公報
【００１８】
【特許文献１０】
特許第３００７６２９号公報
【００１９】
【特許文献１１】
特開平１０−１２１０９３号公報
【００２０】
【特許文献１２】
特開平１１−２５６１８７号公報
【００２１】
【特許文献１３】
特開２００１−９８３００号公報
【００２２】
【特許文献１４】
特開平１１−２６９５００号公報
【００２３】
【特許文献１５】
特開平１０−５２３２１号公報
【００２４】
【特許文献１６】
特開平１０−５２３９２号公報
【００２５】
【特許文献１７】
特開２００１−１８１６９２号公報
【００２６】
【発明が解決しようとする課題】
本発明の課題は、洗浄性能、保存安定性、光安定性に優れる容器入り液体洗浄剤を提供することにある。特に被洗浄物に塗布した後に洗濯を行うことにより優れた洗浄性能が得られ、保存や光による匂いの耐劣化性、保存や光による耐着色性に優れる洗濯前処理に適した容器入り液体洗浄剤を提供することにある。
【００２７】
【課題を解決するための手段】
本発明は、（ａ）界面活性剤〔以下、（ａ）成分という〕、（ｂ）分子内に少なくとも１個の窒素原子と２〜５個のＣＯＯＭ基（Ｍは水素原子、Ｎａ、Ｋ、ＮＨ４）を有するカルシウム安定度定数が４〜１５である分子量１０００以下のキレート剤〔以下、（ｂ）成分という〕、（ｃ）還元剤〔以下、（ｃ）成分という〕、（ｄ）香料〔以下、（ｄ）成分という〕及び（ｅ）水〔以下、（ｅ）成分という〕を含有する液体洗浄剤組成物を容器に充填した容器入り液体洗浄剤であって、前記液体洗浄剤組成物と接触する前記容器の部分の６０％（面積比）以上が、波長３００〜３５０ｎｍの光の平均透過率が５〜５０％且つ波長４００〜７００ｎｍの光の平均透過率が５０〜９５％である、容器入り液体洗浄剤に関する。
【００２８】
【発明の実施の形態】
本発明の容器入り液体洗浄剤は、下記の液体洗浄剤組成物を、下記の容器に充填して得られる。
【００２９】
〔液体洗浄剤組成物〕
本発明に係る液体洗浄剤組成物は、（ａ）界面活性剤、（ｂ）分子内に少なくとも１個の窒素原子と２〜５個のＣＯＯＭ基（Ｍは水素原子、Ｎａ、Ｋ、ＮＨ４、アルカノールアミン）を有するカルシウム安定度定数４〜１５である分子量１０００以下のキレート剤、（ｃ）還元剤、（ｄ）香料及び（ｅ）水を含有する。
【００３０】
本発明に係る液体洗浄剤組成物は、洗浄力、安全性の点でＪＩＳ　Ｋ　３３６２：１９９８記載の方法による２０℃のｐＨが７．５〜１２であることが好ましく、８〜１１がより好ましく、８．５〜１１が更に好ましく、９〜１１が特に好ましく、１０〜１１が最も好ましい。
【００３１】
本発明に係る液体洗浄剤組成物は、容器からの排出の容易さの点で２０℃の粘度が１〜５０ｍＰａ・ｓ（Ｂ型粘度計、６０ｒ／ｍｉｎ）であることが好ましく、特に噴霧又は泡状に排出する場合は１〜３０ｍＰａ・ｓがより好ましく、１〜２０ｍＰａ・ｓが更に好ましく、２〜１５ｍＰａ・ｓが特に好ましい。
【００３２】
＜（ａ）成分＞
本発明に係る液体洗浄剤組成物は、（ａ）成分として界面活性剤を含有する。洗浄性能、液物性の点で組成物中の（ａ）成分の比率は０．０５〜１０質量％が好ましく、０．１〜９質量％がより好ましく、０．５〜８質量％が更に好ましく、１〜７質量％が特に好ましい。
【００３３】
界面活性剤としては、非イオン界面活性剤、陰イオン界面活性剤、陽イオン界面活性剤、両性界面活性剤等が挙げられる。
【００３４】
陰イオン界面活性剤としては、アルコールの硫酸エステル塩、アルコールのエトキシレート化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩又は脂肪酸塩が挙げられる。特に、アルキル鎖の炭素数が１２〜１４の直鎖アルキルベンゼンスルホン酸塩、アルキル鎖の炭素数が１２〜１８のアルキル硫酸エステル塩が好ましく、対イオンとしては、アルカリ金属類、アルカノールアミン塩が好ましい。
【００３５】
非イオン界面活性剤としては、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー、脂肪酸アルカノールアミド、アルキルポリグリコシド等が好ましい。特に、アルキルポリグリコシドが好ましい。
【００３６】
陽イオン界面活性剤としては、４級型のモノ長鎖アルキル又はジ長鎖アルキルアンモニウム塩等が挙げられる。
【００３７】
両性界面活性剤としては、アルキルベタイン、イミダゾリニウムベタイン、アミンオキサイド、アルキルアラニン等が挙げられる。
【００３８】
中でも洗浄性能の点で両性界面活性剤を含有することが好ましく、界面活性剤中の５０質量％以上含有することがより好ましく、６０質量％以上含有することが更に好ましく、７０質量％以上含有することが特に好ましい。
【００３９】
両性界面活性剤としては、洗浄性能の点で下記一般式（ＩＩ）で表される化合物及び下記一般式（ＩＩＩ）で表される化合物から選ばれる両性界面活性剤が好ましく、これらが界面活性剤中の５０質量％以上、更に６０質量％以上、特に７０質量％以上であることが好ましく、なかでも一般式（ＩＩ）で表される化合物が界面活性剤中の５０質量％以上、更に６０質量％以上、特に７０質量％以上であることが好ましい。
【００４０】
【化３】
2004075797.tif 000002
【００４１】
〔式中、Ｒ１は炭素数７〜２０、好ましくは９〜１５のアルキル基又はアルケニル基、Ｒ２、Ｒ３はそれぞれ炭素数１〜３のアルキル基もしくは炭素数２〜３のアルケニル基、好ましくは炭素数１のアルキル基又は水素原子である。Ｒ４は水素原子又は炭素数１〜５のアルキル基もしくは炭素数２〜５のアルケニル基、好ましくは水素原子又はメチル基、ｍは１〜５、好ましくは３の数を示す。〕
【００４２】
【化４】
2004075797.tif 000003
【００４３】
〔式中、Ｒ５は炭素数８〜２０、好ましくは１２〜１４のアルキル基又はアルケニル基、Ｒ６、Ｒ７はそれぞれ炭素数１〜３のアルキル基もしくは炭素数２〜３のアルケニル基、好ましくは炭素数１のアルキル基、又は水素原子、ｐは０〜１０、好ましくは２〜４の数を示す。〕。
【００４４】
＜（ｂ）成分＞
本発明に係る液体洗浄剤組成物は、（ｂ）成分として、分子内に少なくとも１個の窒素原子と２〜５個のＣＯＯＭ基（Ｍは水素原子、Ｎａ、Ｋ、ＮＨ４）を有するカルシウム安定度定数が４〜１５である分子量１０００以下のキレート剤を含有する。洗浄性能の点で、カルシウム安定度定数は５〜１４が好ましく、６〜１３がより好ましく、６〜１０が更に好ましく、６〜８が特に好ましい。洗浄性能の点で、分子量は８００以下が好ましく、６００以下がより好ましい。分子量の下限は２００以上が好ましい。
【００４５】
洗浄性能、液物性、色、匂いの安定性の点で、本発明に係る液体洗浄剤組成物は、（ｂ）成分を１〜３０質量％含有することが好ましく、２〜２５質量％がより好ましく、３〜２０質量％が更に好ましく、３．５〜１５質量％がより更に好ましく、４〜１２質量％が特に好ましい。
【００４６】
尚、本発明において、カルシウム安定度定数は次の方法で求められるものをいう。
【００４７】
（カルシウム安定度定数の測定方法）
緩衝液として０．１ｍｏｌ／リットルのＮＨ４Ｃｌ−ＮＨ４ＯＨ（ｐＨ１０）溶液を調製する。この緩衝液を用いて全ての試料溶液を調製する。Ｃａ２＋濃度の測定にはオリオン（株）製のイオンメーター９２０ＡとＣａ２＋イオン電極を用いる。先ず、塩化カルシウム濃度と電極の電位の関係を求め、検量線を作成する。塩化カルシウムの５．３６×１０−２ｍｏｌ／リットル溶液、キレート剤試料の５．３６×１０−４ｍｏｌ／リットル溶液を調製する。キレート剤試料溶液１００ｍｌに塩化カルシウム溶液を１ｍｌ加え、５分間撹拌する。残存しているＣａ２＋濃度をＣａ２＋イオン電極を用いて測定する。キレート剤はＣａ２＋と１：１でキレート錯体を形成すると仮定して下記の式からカルシウム安定度定数（Ｃａ安定度定数）を求める。
【００４８】
【数１】
2004075797.tif 000004
【００４９】
（ｂ）成分としては、アミノカルボン酸（塩）、ヒドロキシアミノカルボン酸（塩）がより好ましく、アミノカルボン酸（塩）が更に好ましい。
【００５０】
アミノカルボン酸（塩）として、ニトリロ三酢酸（塩）、エチレンジアミンテトラ酢酸（塩）、β−アラニンジ酢酸（塩）、アスパラギン酸ジ酢酸（塩）、メチルグリシンジ酢酸（塩）、イミノジコハク酸（塩）等が挙げられる。
【００５１】
ヒドロキシアミノカルボン酸（塩）として、セリンジ酢酸（塩）、ヒドロキシイミノジコハク酸（塩）、ヒドロキシエチルエチレンジアミントリ酢酸（塩）、ジヒドロキシエチルグリシン（塩）等が挙げられる。
【００５２】
中でも洗浄性能、環境適性の点で下記一般式（Ｉ）で表される化合物が好ましい。
【００５３】
【化５】
2004075797.tif 000005
【００５４】
〔式中、Ｒは−（ＣＨ２）ｎ−Ａであり、Ａは水素原子、ＯＨ、ＣＯＯＭであり、Ｍは水素原子、Ｎａ、Ｋ、ＮＨ４、好ましくはＮａであり、ｎは０〜５の数を示す。〕。
【００５５】
これらの有機カルボン酸（塩）は酸の形で配合した後、水酸化カリウム、水酸化ナトリウム、水酸化アンモニウム、炭酸カリウム、炭酸ナトリウム、モノエタノールアミン、ジエタノールアミン等により中和して少なくとも一部を塩としても良い。また、予めカルボキシル基の少なくとも一部を塩とした後に配合しても良い。洗浄性能の点で、特に少なくとも一部のカルボキシル基がカリウム塩又はアンモニウム塩であることが好ましい。
【００５６】
＜（ｃ）成分＞
本発明に係る液体洗浄剤組成物は、（ｃ）成分として還元剤を含有する。色、匂いの安定性の点で組成物中の（ｃ）成分の比率は０．０１〜１０質量％が好ましく、０．０１〜１質量％がより好ましく、０．０５〜０．５質量％が更に好ましい。
【００５７】
還元剤としては、亜硫酸、二亜硫酸、重亜硫酸、チオ硫酸、ホウ酸及びこれらの塩、アルデヒド類、糖類、ギ酸、シュウ酸等が挙げられる。中でも、亜硫酸、二亜硫酸、重亜硫酸、チオ硫酸、ホウ酸及びこれらの塩から選ばれる一種以上が色、匂いの安定性の点で好ましく、亜硫酸（塩）を含有することがより好ましい。
【００５８】
＜（ｄ）成分＞
本発明に係る液体洗浄剤組成物は、（ｄ）成分として香料を含有する。組成物中の（ｄ）成分の比率は、色、匂いの安定性、洗浄性能の点で０．０１〜１０質量％が好ましく、０．０１〜１質量％がより好ましく、０．０５〜０．５質量％が更に好ましい。
【００５９】
香料としては、例えば「香料の化学」（昭和５８年９月１６日発行、著者：赤星亮一、発行者：佐久間裕三、発行所：大日本図書株式会社）記載の調合香料用化合物から得られる。
【００６０】
＜（ｅ）成分＞
本発明に係る液体洗浄剤組成物は、（ｅ）成分として水を含有する。組成物中の（ｅ）成分の比率は、洗浄性能、液物性の点で５０〜９５質量％が好ましく、５５〜９０質量％がより好ましく、６０〜８５質量％が更に好ましく、６５〜８０質量％が特に好ましい。
【００６１】
＜その他の成分＞
本発明に係る液体洗浄剤組成物は、洗浄性能、液物性の点で、アルカリ剤〔以下、（ｆ）成分という〕を含有することが好ましく、組成物中の比率は１〜３０質量％が好ましく、３〜２５質量％がより好ましく、５〜２０質量％が特に好ましく、５〜１５質量％が最も好ましい。
【００６２】
（ｆ）成分としては、例えば炭酸ナトリウム、炭酸水素ナトリウム、炭酸カリウム、炭酸水素カリウム等のアルカリ金属炭酸塩、珪酸ナトリウム、珪酸カリウム等のアルカリ金属珪酸塩、オルトリン酸塩、メタリン酸塩、ピロリン酸塩、ヘキサメタリン酸塩等のポリリン酸塩、モノエタノールアミン、ジエタノールアミン、トリエタノールアミン等のアルカノールアミン類、リン酸水素二ナトリウム、リン酸三ナトリウム、ホウ酸塩等が挙げられる。
【００６３】
（ｆ）成分は洗浄性能の点で、（ｆ）成分の０．０２５質量％濃度の水溶液もしくは分散液の最大ｐＨが１０以上（２０℃）であり、且つ該水溶液もしくは分散液１リットルをｐＨ９（２０℃）にするために０．１Ｎの塩酸水溶液を１０ｍｌ以上必要とする化合物であることが好ましい。このような化合物としては、炭酸ナトリウム、炭酸カリウム、珪酸ナトリウム、リン酸三ナトリウム、モノエタノールアミン等が挙げられる。中でも炭酸ナトリウム、炭酸カリウム、珪酸ナトリウムがより好ましく、特に炭酸ナトリウム、炭酸カリウムが好ましい。
【００６４】
本発明に係る液体洗浄剤組成は、低温安定性、液物性の点で、ハイドロトロープ剤〔以下、（ｇ）成分という〕を含有することが好ましく、組成物中の比率は１〜３０質量％が好ましく、２〜１５質量％が更に好ましく、３〜１０質量％が特に好ましい。
【００６５】
（ｇ）成分としては、メタノール、エタノール、プロパノール、グリセリン、エチレングリコール、プロピレングリコール等の炭素数１〜４の低級アルコール、トルエンスルホン酸又はその塩、キシレンスルホン酸又はその塩、下記一般式（ＩＶ）で示される化合物等が挙げられる。
【００６６】
Ｘ−（Ｐｈ）−Ｏ（ＣＨ２ＣＨ２Ｏ）ｐ（ＣＨ２ＣＨＲＯ）ｑＹ　（ＩＶ）
〔式中、Ｘは、水素原子、炭素数１〜４のアルキル基もしくは炭素数２〜４のアルケニル基、水酸基、又はハロゲンであり、Ｙは、水素原子、メチル基、又はエチル基であり、Ｐｈは、フェニレン基であり、Ｒは、水素原子、メチル基、又はエチル基であり、ｐは、１〜６、好ましくは１〜３、ｑは、０〜４、好ましくは０〜２であり、ｐ＋ｑは、１〜１０、好ましくは１〜６である。〕。
【００６７】
中でも炭素数２〜３の低級アルコール、ｐ−トルエンスルホン酸又はその塩がより好ましい。
【００６８】
その他、本発明に係る液体洗浄剤組成物には、（１）重量平均分子量５０００以上のポリエチレングリコール、ナフタレンスルホン酸塩ホルマリン縮合物等の再汚染防止剤及び分散剤０．０１〜１０質量％、（２）ポリビニルピロリドン等の色移り防止剤０．０１〜１０質量％、（３）シリコーン、シリカ等の調泡剤０．００１〜２質量％、（４）着色剤、（５）抗菌防腐剤、（６）アミラーゼ、プロテアーゼ、リパーゼ、セルラーゼ等の酵素、（７）塩化カルシウム、硫酸カルシウム、ホウ酸（ホウ素化合物）等の酵素安定化剤、（８）ポリアクリル酸（塩）、ポリマレイン酸（塩）、カルボキシメチルセルロース、アクリル酸−マレイン酸共重合体若しくはその塩、無水マレイン酸−ジイソブチレン共重合体若しくはその塩、無水マレイン酸−メチルビニルエーテル共重合体若しくはその塩、無水マレイン酸−イソブチレン共重合体若しくはその塩、無水マレイン酸−酢酸ビニル共重合体若しくはその塩、及び特開昭５９−６２６１４号公報の請求項１〜２１（１頁３欄５行〜３頁４欄１４行）記載のポリマー等といった有機多価カルボン酸及び／又はその塩等を配合することができる。
【００６９】
〔容器〕
本発明に用いる容器は、前記液体洗浄剤組成物と接触する部分の６０％（面積比）以上、好ましくは７０％以上、より好ましくは８０％以上、更に好ましくは９０％以上、特に好ましくは１００％が、波長３００〜３５０ｎｍの光の平均透過率が５〜５０％且つ波長４００〜７００ｎｍの光の平均透過率が５０〜９５％である。
【００７０】
容器の材質はガラスでも良いが、取り扱いの容易性の点で、熱可塑性樹脂が好ましい。熱可塑性樹脂としては、ポリプロピレン、ポリエステル、ポリカーボネート、ポリアミド等が挙げられる。中でもポリプロピレンが生産性の点で好ましい。
【００７１】
本発明に係る容器において、波長３００〜３５０ｎｍの光の平均透過率は、色、匂いの安定性の点で１０〜４０％が好ましく、１０〜３０％がより好ましく、１５〜３０％が更に好ましい。
【００７２】
また、本発明に係る容器において、波長４００〜７００ｎｍの光の平均透過率は、内容物の視認性の良さ、外観の美しさの点で６０〜９０％が好ましく、６０〜８０％がより好ましい。
【００７３】
このような状態を得るために、特開平７−４０９５４号公報、段落００１５〜００２１記載の紫外線吸収剤を用いることができる。紫外線吸収剤は、容器が単層樹脂であっても樹脂中に含有させることができる。紫外線吸収剤が内容液に移行し変質することがないように、容器を多層樹脂とし、接液しない樹脂層に紫外線吸収剤を含有させることが好ましい。また、紫外線吸収剤を含有する熱収縮性フィルム（好ましくはポリエステル）を用いることが生産性の点で好ましい。
【００７４】
また、樹脂を着色したり、ボトル表面に印刷層を形成したり、印刷層のある熱収縮性フィルム（好ましくはポリエステル）を樹脂ボトルに装着することにより透過度を調整することができる。更に表面をエンボス処理することによって調整することができる。
【００７５】
【実施例】
参考例
表１に示す液体洗浄剤組成物１〜７を調製した。得られた組成物の粘度は何れも２〜１５ｍＰａ・ｓ（Ｂ型粘度計、２０℃、６０ｒ／ｍｉｎ）、ｐＨ１０〜１１であった。
【００７６】
これらについて以下に示す方法により、洗浄力の評価を行った。その結果を表１に示す。
【００７７】
＜洗浄力の評価＞
（襟あか布の調製）
ＪＩＳ　Ｋ３３６２：１９９８記載の襟あか布を調製する。
【００７８】
（洗浄条件及び評価方法）
２槽式洗濯機（東芝銀河３．６）の洗濯槽にＪＩＳ　Ｋ３３６２：１９９８記載の使用水４０Ｌを入れ、これに１．４ｋｇの綿製の未着用肌着及び０．６ｋｇの綿／ポリエステル混紡の未着用ワイシャツを入れる。更に、ＪＩＳ　Ｋ３３６２：１９９８記載の洗浄力判定用指標洗剤（蛍光増白剤無添加）５３ｇ（無水物換算）投入する。更に上記襟あか布１枚に付き、液体洗浄剤組成物４ｇを塗布した後、５分間静置した襟あか布６枚（３段階の汚れを各２枚）を洗濯槽に入れ、１０分間普通洗浄する。その後１分間脱水し、８分間１５Ｌ／ｍｉｎの水量で流水すすぎする。その後５分間脱水し、室内で自然乾燥させる。
【００７９】
液体洗浄剤組成物を塗布しないで同様の操作を行ったものをブランクとして、目視により一対比較し、以下の判定基準により評価する。
【００８０】
評価基準
◎：３段階の汚れ全てにおいて、ブランクより明らかに汚れが落ちている。
○：３段階の汚れ全てにおいて、ブランクよりやや汚れが落ちている。
×：３段階の汚れ全てにおいて、ブランクとほとんど差がない、又は汚れ落ちに劣る。
【００８１】
【表１】
2004075797.tif 000006
【００８２】
・両性界面活性剤１：ラウラミドプロピルアミンオキシド（ソフタゾリンＬＡＯ−Ｃ、川研ファインケミカル（株）、純分換算量）
・両性界面活性剤２：ジメチルラウリルアミンオキサイド（アンヒトール２０Ｎ、花王（株）、純分換算）
・両性界面活性剤３：ラウリル（２−ヒドロキシ−３−スルホプロピル）ジメチルベタイン（アンヒトール２０ＨＤ、花王（株）、純分換算）
・非イオン界面活性剤１：デシルグルコシド（マイドール１０、花王（株）、純分換算）
・非イオン界面活性剤２：炭素数１０〜１４の直鎖第１級アルコールにエチレンオキサイドを平均８モル、プロピレンオキサイドを平均２モルランダム付加させたもの
・陰イオン界面活性剤１：ヤシ油脂肪酸ナトリウム
・陰イオン界面活性剤２：炭素数１０〜１４の直鎖アルキルベンゼンスルホン酸ナトリウム
・キレート剤１：メチルグリシン二酢酸三ナトリウム（トリロンＭリキッド、ＢＡＳＦジャパン（株）、純分換算）（Ｃａ安定度定数６．１）
・キレート剤２：アスパラギン酸−Ｎ，Ｎ−二酢酸四ナトリウム（Ｃａ安定度定数６．７）
・キレート剤３：セリン二酢酸三ナトリウム（Ｃａ安定度定数６．５）
・キレート剤４：グルタミン酸二酢酸四ナトリウム（Ｃａ安定度定数５．８）
・キレート剤５：エチルグリシン二酢酸三ナトリウム（Ｃａ安定度定数５．７）
・カルボン酸系ポリマー：特開平１０−６０４７６号公報の４頁段落００２１の合成例１記載の方法で合成したフェノキシポリエチレングリコール、アクリル酸、マレイン酸共重合体（重量平均分子量１００００、固形分５１．２重量％）
・酵素：エバラーゼ１６．０Ｌ−ＥＸ（プロテアーゼ、ノボザイムズ社製）
・色素：カヤシオンオレンジ（組成物中に１０ｐｐｍ（質量比）添加）。
【００８３】
実施例１
表１の液体洗浄剤組成物１〜７と、表２に示す容器１〜５とを、表３に示す組み合わせで用い、容器入り液体洗浄剤を得た。該容器入り液体洗浄剤（サンプル）を、下記の保存条件で保存し、以下の方法により匂い、色、を評価した。結果を表３に示す。
【００８４】
（保存条件）
サンプルを温調可能なガラス容器に入れ、４０℃に温調しながら、日光暴露（１万ｋＪ／ｍ３）させた。尚、実験は５月に行った。
【００８５】
＜匂い評価＞
保存後のサンプルと、調製直後のサンプルとを比較して、嗅覚判定する。
【００８６】
判定基準
○：匂いの変化が認められない。
【００８７】
△：やや匂いの変化が認められる。
【００８８】
×：明らかに匂いの変化が認められる。
【００８９】
＜色評価＞
保存後のサンプルと、調製直後のサンプルとを比較して、視覚判定する。
【００９０】
判定基準
○：色調変化が認められない。
【００９１】
△：やや色調変化が認められる。
【００９２】
×：明らかに色調変化が認められる。
【００９３】
【表２】
2004075797.tif 000007
【００９４】
【表３】
2004075797.tif 000008
【００９５】
（注１）○数字のものは比較品である。
（注２）液体洗浄剤組成物と接触する容器の部分のうち、波長３００〜３５０ｎｍの光の平均透過率が５〜５０％且つ波長４００〜７００ｎｍの光の平均透過率が５０〜９５％の部分の比率